【手続補正書】
【提出日】平成19年7月18日(2007.7.18)
【手続補正１】
【補正対象書類名】特許請求の範囲
【補正対象項目名】全文
【補正方法】変更
【補正の内容】
【特許請求の範囲】
【請求項１】
送信側でチャンネル符号化後の１系統の符号シンボルを複数ストリームに分割して送信し、受信側で複数ストリームの信号を受信して１系統の受信符号シンボルを合成し、最尤復号により通信路誤りを訂正する無線通信システムであって、
送信側の通信装置では、符号シンボルに一括して適用するパンクチャド・シンボル・パターンをストリーム毎にそれぞれ割り当てられた変調モードに従って作成し、該作成されたパンクチャド・シンボル・パターンに従って符号シンボルから不要シンボルを除去したパンクチャド・シンボルを生成し、各ストリームに振分けて送信し、
受信側の通信装置では、送信側で使用したものと同じパンクチャド・シンボル・パターンを一括して作成し、送信側で除去された不要シンボル位置に消失シンボルを挿入し、該受信符号シンボルの最尤復号を行なう、
ことを特徴とする無線通信システム。
【請求項２】
送信データを複数ストリームに分割して送信する無線通信装置であって、
送信データを適切なビット数のデータ系列に分割するフレーム生成手段と、
送信データ系列をチャンネル符号化して１系統の符号シンボルを生成するチャンネル符号化手段と、
符号シンボルに一括して適用するパンクチャド・シンボル・パターンをストリーム毎にそれぞれ割り当てられた変調モードに従って作成するパンクチャド・シンボル・パターン生成手段と、
該作成されたパンクチャド・シンボル・パターンに従って符号シンボルから不要シンボルを除去したパンクチャド・シンボルを生成し、各ストリームに振分けるシンボル振り分け手段と、
各ストリームのパンクチャド・シンボルを変調して送信する送信手段と、
を具備することを特徴とする無線通信装置。
【請求項３】
前記パンクチャド・シンボル・パターン生成手段は、ストリーム毎にそれぞれ割り当てられた変調モードに対応する各パンクチャド・シンボル・パターンを、各ストリームを組み合わせる順に従って配列することにより、符号シンボルに一括して適用するパンクチャド・シンボル・パターンを作成する、
ことを特徴とする請求項２に記載の無線通信装置。
【請求項４】
ストリーム数、ストリーム毎の送信データ・ビット数、ストリーム毎の変調方式及び符号化率からなる変調モードなどの送信ストリーム制御データに従って、送信データ系列を適切に複数ストリームに分割して送信するのに必要なパラメータを決定して送信制御情報として出力する送信ストリーム制御手段をさらに備え、
前記フレーム生成手段は、前記送信制御情報に従って、送信データを適切なビット数のデータ系列に分割し、
前記チャンネル符号手段は、前記送信制御情報に従い、データ系列について、連続符号化を行なう場合には前記符号化手段をリセットせずに継続的に畳込み符号化を行ない、バースト符号化を行なう場合にはバースト単位に区切られたデータ系列にテールビットを付加して畳込み符号化を行ない、それぞれ符号シンボルを出力し、
前記パンクチャド・シンボル・パターン生成手段は、前記送信制御情報に従いパンクチャド・シンボル・パターンを生成し、
前記シンボル振り分け手段は、前記送信制御情報に従いパンクチャド・シンボルを各ストリームに振り分け、
前記送信手段は、前記送信制御情報に従い各ストリームの送信電力値を設定する、
ことを特徴とする請求項２に記載の無線通信装置。
【請求項５】
前記送信ストリーム制御手段は、各ストリームに割当てられた変調方式及び符号化率から全ストリームの効率を算出し、それぞれの効率を基に各ストリームに対するパンクチャド・シンボル数を算出し、複数ストリームそれぞれの符号化率に合った振分けタイミング及びパンクチャド・シンボル位置を決定して、符号シンボルからパンクチャド・シンボル・パターンを一括して割当てて複数ストリームに振分けるように、前記パンクチャド・シンボル・パターン生成手段及び前記シンボル振り分け手段に与える各パラメータを決定する、
ことを特徴とする請求項２に記載の無線通信装置。
【請求項６】
前記送信ストリーム制御手段は、バースト符号化を行なう場合には、ストリーム毎に対応する階層毎に定められた許容ＢＥＲと変調モードに従って送信電力を設定し、連続復号を行なう場合は、各ストリームの伝搬路毎に見積もられるチャンネル・モデルを通過して復号した場合のＢＥＲ推定値が等しくなるように送信電力を設定するように、前記送信手段に関する送信制御情報パラメータを決定する、
ことを特徴とする請求項４に記載の無線通信装置。
【請求項７】
複数ストリームに分割された送信データを受信する無線通信装置であって、
ストリーム毎に割り当てられた変調方式に対応する軟判定復調を行なう復調手段と、
軟判定復調された複数ストリームのシンボルを送信側で振分ける前のシンボル系列に合成するシンボル合成手段と、
符号シンボルに一括して適用するパンクチャド・シンボル・パターンをストリーム毎にそれぞれ割り当てられた変調モードに従って作成するパンクチャド・シンボル・パターン生成手段と、
作成されたパンクチャド・シンボル・パターンを用いて、シンボル系列上の送信側で除去された不要シンボル位置に消失シンボルを挿入して受信符号シンボルを出力する消失シンボル挿入手段と、
受信符号シンボルの最尤復号を行ない、通信路誤り訂正を行なうビタビ復号手段と、
を具備することを特徴とする無線通信装置。
【請求項８】
前記パンクチャド・シンボル・パターン生成手段は、ストリーム毎にそれぞれ割り当てられた変調モードに対応する各パンクチャド・シンボル・パターンを、各ストリームを組み合わせる順に従って配列することにより、符号シンボルに一括して適用するパンクチャド・シンボル・パターンを作成する、
ことを特徴とする請求項７に記載の無線通信装置。
【請求項９】
送信データを階層化してバースト符号化を行なう場合、前記ビタビ復号手段は、最尤パスのパスメモリ長がテールビットで区切られたバースト・データ長より長い場合は、第１番目のバースト・データに対応する受信符号シンボルについて、バースト先頭からＡＣＳ操作を行なって最尤パスを記憶し、テールビットの最終ビットに対応する受信符号シンボルのＡＣＳ処理が終了した後、テールビットに対応するステートからトレースバックを実行し、１バースト分の送信ビットの復号を行ない、続いて入力する第２のバースト・データに対応する受信符号シンボルに対し、前記ビタビ復号手段の内部状態をリセットし、ＡＣＳ操作を行なって最尤パスを記憶し、前バーストと同じ処理を繰り返す、
ことを特徴とする請求項７に記載の無線通信装置。
【請求項１０】
送信データを階層化してバースト符号化を行なう場合、前記ビタビ復号手段は、最尤パスのパスメモリ長がバースト・データ長より短い場合は、第１番目のバーストに対応する受信符号シンボルについて、バースト先頭からＡＣＳ操作を行なって最尤パスを生成し、該ストリームの変調モードに最適なパスメモリ長を設定したパスメモリに該最尤パスを記憶し、該最尤パスが最大パスメモリ長に達した時点よりトレースバックによる復号を開始してビット単位の復号を行ない、テールビットの最終ビットに対応する受信符号シンボルが入力したとき、パスメモリ長分の送信データを一括して復号し、続いて入力する第２のバースト・データに対応する受信符号シンボルに対し、前記ビタビ復号手段の内部状態をリセットし、ＡＣＳ操作を行なって最尤パスを生成し、該バーストの変調モードに最適なパスメモリ長を設定したパスメモリに該最尤パスを記憶し、前バーストと同じ処理を繰す、
ことを特徴とする請求項７に記載の無線通信装置。
【請求項１１】
送信データに対して階層化せずに連続符号化を行なう場合、前記ビタビ復号手段は、全ストリームのうち最も変調多値数の大きい変調方式、又は最も高い符号化率、複数ストリーム毎の軟判定レベル分布値から最適なパスメモリ長を設定し、ＡＣＳ操作を行なって最尤パスを生成して記憶し、該最尤パスが最大パスメモリ長に達した時点よりトレースバックによる復号を開始してビット単位の復号を行なう、
ことを特徴とする請求項７に記載の無線通信装置。
【請求項１２】
前記受信ストリーム制御手段は、各ストリームに割当てられた変調方式及び符号化率から全ストリームの効率を算出し、それぞれの効率を基に各ストリームに対するパンクチャド・シンボル数を算出し、複数ストリームそれぞれの符号化率に合った振分けタイミング及びパンクチャド・シンボル位置を決定して、シンボル系列にパンクチャド・シンボル・パターンを一括して割当てて送信側で除去された不要シンボル位置に消失シンボルを挿入して受信符号シンボルを出力するように、前記パンクチャド・シンボル・パターン生成手段及び前記消失シンボル挿入手段に与える各パラメータを決定する、
ことを特徴とする請求項７に記載の無線通信装置。
【請求項１３】
送信データを複数ストリームに分割して送信する無線通信方法であって、
送信データを適切なビット数のデータ系列に分割するフレーム生成ステップと、
送信データ系列をチャンネル符号化して１系統の符号シンボルを生成するチャンネル符号化ステップと、
符号シンボルに一括して適用するパンクチャド・シンボル・パターンをストリーム毎にそれぞれ割り当てられた変調モードに従って作成するパンクチャド・シンボル・パターン生成ステップと、
該作成されたパンクチャド・シンボル・パターンに従って符号シンボルから不要シンボルを除去したパンクチャド・シンボルを生成し、各ストリームに振分けるシンボル振り分けステップと、
各ストリームのパンクチャド・シンボルを変調して送信する送信ステップと、
を具備することを特徴とする無線通信方法。
【請求項１４】
伝送データが複数ストリームに分割された送信データを受信する無線通信方法であって、
ストリーム毎に割り当てられた変調方式に対応する軟判定復調を行なう復調ステップと、
軟判定復調された複数ストリームのシンボルを送信側で振分ける前のシンボル系列に合成するシンボル合成ステップと、
符号シンボルに一括して適用するパンクチャド・シンボル・パターンをストリーム毎にそれぞれ割り当てられた変調モードに従って作成するパンクチャド・シンボル・パターン生成ステップと、
作成されたパンクチャド・シンボル・パターンを用いて、シンボル系列上の送信側で除去された不要シンボル位置に消失シンボルを挿入して受信符号シンボルを出力する消失シンボル挿入ステップと、
受信符号シンボルの最尤復号を行ない、通信路誤り訂正を行なうビタビ復号ステップと、
を具備することを特徴とする無線通信方法。
【請求項１５】
送信データを複数ストリームに分割して送信するための符号化処理をコンピュータ上で実行するようにコンピュータ可読形式で記述されたコンピュータ・プログラムであって、前記コンピュータに対し、
１系統の符号シンボルに一括して適用するパンクチャド・シンボル・パターンをストリーム毎にそれぞれ割り当てられた変調モードに従って作成するパンクチャド・シンボル・パターン生成手順と、
該作成されたパンクチャド・シンボル・パターンに従って符号シンボルから不要シンボルを除去したパンクチャド・シンボルを生成し、各ストリームに振分けるシンボル振り分け手順と、
を実行させることを特徴とするコンピュータ・プログラム。
【請求項１６】
１系統の符号シンボルが複数ストリームに分割された送信データを受信するための復号処理をコンピュータ上で実行するようにコンピュータ可読形式で記述されたコンピュータ・プログラムであって、前記コンピュータに対し、
ストリーム毎に割り当てられた変調方式に対応する軟判定復調がなされた複数ストリームのシンボルを送信側で振分ける前のシンボル系列に合成するシンボル合成手順と、
符号シンボルに一括して適用するパンクチャド・シンボル・パターンをストリーム毎にそれぞれ割り当てられた変調モードに従って作成するパンクチャド・シンボル・パターン生成手順と、
作成されたパンクチャド・シンボル・パターンを用いて、シンボル系列上の送信側で除去された不要シンボル位置に消失シンボルを挿入して受信符号シンボルを出力する消失シンボル挿入手順と、
受信符号シンボルの最尤復号を行ない、通信路誤り訂正を行なうビタビ復号手順と、
を実行させることを特徴とするコンピュータ・プログラム。